(57)【要約】従来のサーフボードに比し、滑走時のスピードや方向転換などの運動性能が向上したサーフボードを提供する。該サーフボードは、サーフボード１の接水底面２の後部面域２ａ又はこれに取り付けたフィン９の両側面９ｂ，９ｂに、或いは後部面域２ａ及びフィン９の両側面９ｂ，９ｂの形状に沿い型抜きした表面滑性を有し、強靭且つ柔軟な貼着用合成樹脂フィルム７を接着剤又は粘着剤から成る貼着剤を介し貼着して成る。該貼着用合成樹脂フィルム７としては、その裏面に予め粘着剤の塗工面８を施された粘着フィルムとしたものを使用することが好ましい。
2004069644.tif 000002
【特許請求の範囲】
【請求項１】
サーフボードの接水底面の後部面域に、該後部面域又は／及びフィンの両側面に貼着するに適するよう型抜きした表面滑性を有し、強靭且つ柔軟な貼着用合成樹脂フィルムを接着剤又は粘着剤から成る貼着剤を介し貼着したことを特徴とするサーフボード。
【請求項２】
該貼着用合成樹脂フィルムは、ポリエステル樹脂、ポリアミド樹脂、ポリエチレン樹脂、ポリプロピレン樹脂、ポリアクリレート樹脂、ポリカーボネート樹脂、ＡＢＳ樹脂、フッ素樹脂及びポリ塩化ビニル樹脂のグループから選択されたものであることを特徴とする請求項１に記載のサーフボード。
【請求項３】
該貼着用合成樹脂フィルムの表面滑性度は、その全てに亘り高低差０．２μ未満の滑らかな表面光沢を有するものである請求項１に記載のサーフボード。
【請求項４】
サーフボードの接水底面の後部面域又はフィンの両側面に貼着するに適するよう型抜きされた表面滑性を有し、強靭且つ柔軟な貼着用合成樹脂フィルムとその裏面に粘着剤を塗工した粘着面と該粘着面に仮貼着した剥離紙とから成るサーフボード用粘着フィルム。
【請求項５】
該サーフボード用粘着フィルムの該粘着面は、該粘着剤を規則的に又は不規則的に部分的に塗工し、これらの多数の塗着部間に外部に連通する多数の排気用溝を形成して成ることを特徴とする請求項４に記載のサーフボード用粘着フィルム。
【請求項６】
該サーフボード用粘着フィルムは、複数の分割片から成ることを特徴とする請求項４又は５に記載のサーフボード用粘着フィルム。
【請求項７】
該サーフボード用粘着フィルムの該貼着用合成樹脂フィルムは、透明又は不透明のもの、無色或いは所望の色に着色されたもの、これらの表面に所望の文字やデザインなどを印刷したもの或いはこれらを所望に組み合わせたものである請求項４乃至６のいずれか１つに記載のサーフボード用粘着フィルム。
【請求項８】
請求項４乃至７のいずれか１つに記載のサーフボード用粘着フィルムの剥離紙を剥がし、サーフボードの接水底面の後部面域又は／及びフィンの両側面に貼着することを特徴とする請求項１乃至３のいずれか１つに記載のサーフボード。
【発明の詳細な説明】
【技術分野】  本発明は、サーフボードのスピード及び方向転換などの運動性能の向上を図ったサーフボード及びサーフボード用粘着フィルムに関する。
【背景技術】  従来のサーフボードは、所定のサーフボードの形状に成形した超高密度のフォームコアとその表面に強化プラスチック樹脂、代表的には、ガラス繊維などの繊維のクロスの強化プラスチックを一体に積層して成る外皮とから成り、更に、該外皮の表面の水流抵抗を可及的に小さくするべく研磨処理を施して仕上げて製造したものが一般であり好ましく使用されている。
また、そのサーフボードの接水底面の後部面域に１個又は複数個取り付けられたフィンは、前記のサーフボードと同様に製造され、同様の構成から成り、その外皮を構成する強化プラスチックに埋設された繊維クロスは、ガラス繊維の他、カーボン繊維クロス又はその両繊維クロスを使用したものなどがある。
しかし乍ら、かゝる従来のサーフボードの表面及びフィンの表面は、光学式レーザー測定装置で観察したところ、意外に粗面であり、水流抵抗が大きいことが判明した。
本発明は、かゝる検討の結果に鑑み、水流抵抗を低減し、従来のサーフボードに比しスピード及び方向転換などの運動性能を向上したサーフボードを提供することを目的とする。
【発明の開示】
本発明は、サーフボードの接水底面の後部面域又は／及びフィンの両側面に、該後部面域に貼着するに適するよう型抜きした表面滑性を有し、強靭且つ柔軟な貼着用合成樹脂フィルムを接着剤又は粘着剤から成る貼着剤を介し貼着したことを特徴とするサーフボードに存する。かくして、上記の本発明のサーフボードは、その接水底面の後部面域又は／及びフィンの両側面に貼着した前記の合成樹脂フイルムの表面滑性により、従来のサーフボードに比しスピード及び方向転換などの運動性能を向上したものが得られる。その運動性能の向上効果は、サーフボードの該合成樹脂フィルムをフィンの両側面のみに貼った場合、接水底面の後部面域のみに貼った場合、フィンの両側面と該後部面域の両者に貼った場合の順に増大する。
更に、上記の本発明において、該貼着用合成樹脂フィルムは、ポリエステル樹脂、ポリアミド樹脂、ポリエチレン樹脂、ポリプロピレン樹脂、ポリアクリレート樹脂、ポリカーボネート樹脂、ＡＢＳ樹脂、フッ素樹脂及びポリ塩化ビニル樹脂のグループから選択された所望の合成樹脂フィルムを用いることができ、これらは、機械的強度、耐水性、耐候性、耐久性、耐衝撃性などに優れ好ましい。
更に本発明において使用する該貼着用合成樹脂フィルムの表面滑性度は、その全面に亘り高低差０．２μ未満の滑らかな表面光沢を有するものが好ましい。
更に本発明において、本発明のサーフボードの製造において、前記の貼着用合成樹脂フィルムの貼着作業を高能率に且つ安価に製造することができるようにするため、サーフボードの接水底面の後部面域又はフィンの両側面に貼着するに適するよう型抜きされた表面滑性を有し、強靭且つ柔軟な貼着用合成樹脂フィルムとその裏面に粘着剤を塗工した粘着面と該粘着面に仮貼着した剥離紙とから成るサーフボード用粘着フィルムを用いることが好ましい。
更に、本発明の上記のサーフボード用粘着フィルムとして、その該粘着面は、該粘着剤を規則的に又は不規則的に部分的に塗工し、これらの多数の塗着部間に外部に連通する多数の排気用溝を形成して成るものをサーフボードの前記所定個所への貼着に用いるときは、その被貼着面と該粘着面との間に気泡を残すことなく、全面に亘り良好に貼着することができる。
更に、本発明のサーフボード用粘着フィルムとして、複数の分割片から成るものを用意しておけば、前記の所定個所に各分割片間に所望の間隔を存せしめて貼着することができる。
更に、本発明のサーフボード用粘着フィルムの該貼着用合成樹脂フィルムは、透明（半透明を含む）のもの、不透明のもの、無色のもの、所望の色に着色したもの、更には、これらの表面に所望の文字や図形、絵柄、模様などのデザインを印刷したもの、これらを所望に組み合わせたものを使用することにより、サーファーの製造者、販売者、或いはサーファーなどの需要者は、これらの各種粘着フィルムから選択しこれを貼着することにより所望のサーフボードを構成することができる。
而して、製造者や需要者は、従来のサーフボードの所定の個所に、寸法や形状の異なる上記各種のサーフボード用粘着フィルムから選択し、その剥離紙を剥がし、従来のサーフボードの上記の当該後部に貼着することにより、向上したスピードなどの運動性能の異なるサーフボードを所望に応じ作ることができる。
【図面の簡単な説明】  第１図は、本発明の実施の１例のサーフボードの裏面図である。
第２図は、第１図のＩＩ−ＩＩ線裁断の拡大断面図である。
第３図は、本発明の実施の１例のサーフボード用粘着フィルムの一部を裁除した正面図である。
第４図は、本発明の他の実施例のサーフボードの底面の斜視図である。
第５図は、第４図に示すサーフボードへの貼着に用いられる粘着フィルムの一部を裁除した正面図である。
第６図は、第４図のＶＩ−ＶＩ線裁断の拡大断面図である。
第７図は、本発明の更に他の実施例のサーフボードの底面の斜視図である。
第８図は、第７図に示すサーフボードへの貼着に用いられる粘着フィルムの一部を裁除した正面図である。
第９図は、本発明の更に他の実施例のサーフボードの底面の斜視図である。
第１０図は、第９図に示すフィンの１つを取り外し、第９図に示す側面とは反対側のフィンの側面を示す図である。
第１１図は、第７図及び第８図に示すサーフボードのフィンへの貼着に用いた粘着シートから成るサーフボード用貼着シートに用いたフィン貼着用粘着シートの一部を裁除した正面図である。
第１２図は、本発明の更に他の実施例のサーフボードの底面側の斜視図である。
第１３図は、サーフボードの該後部面域への貼着に用いる粘着フィルムの粘着面の変形例を示す剥離紙を剥いだ状態の正面図である。
第１４図は、サーフボードのフィンの側面への貼着に用いられる粘着フィルムの粘着面の変形例を示す剥離紙を剥いだ状態の正面図である。
第１５図は、本発明の更に他の実施例のサーフボードの接水底面の後部面域の正面図である。
第１６図は、本発明の更に他の実施例のサーフボードの接水底面の後部面域の正面図である。
第１７図は、従来のサーフボードの表面の表面滑性度を示すグラフである。
第１８図は、本発明のサーフボードに貼着する合成樹脂フィルムの１例の表面滑性度を示すグラフである。
第１９図は、本発明の実施例のサーフボードと従来のサーフボードのスピードを比較する実験装置とスピードの比較試験データを示す図である。
【発明を実施するための最良の形態】  本発明を、添付図面に基づいて以下詳述する。
第１図は、符号Ａで示す本発明実施の１例のサーフボードの裏面図を示す。本発明は、従来のサーフボード１の接水底面２の後部面域２ａに、表面滑性を有し、強靭且つ柔軟な大寸法の例えば、広幅長尺の合成樹脂フィルム素材（図示しない）から、該サーフボード１のテール３からその両側縁４，４、即ち、ライトテール４とレフトテール４にかけての外廓形状に沿い且つ該左右縁を跨ぐ幅方向において左右の面形状が対象となるように、図示の例では、Ｖ字状に打ち抜いた周縁形状をもつように打ち抜くと同時に、該後部面域２ａ内に、該サーフボード１の中心軸線上に位置して該サーフボード１の底面に予め埋設したプラグ５のフィン嵌着用孔５ａに整合せしめる貫通孔６を穿設するように打ち抜いて成る型抜きされた前記特性を有する底面貼着用合成樹脂フィルム７を多数作製し、用意する。型抜きされた該貼着用合成樹脂フィルム７の外周形状や面の寸法は、サーフボードの後部面域の形状、寸法に応じて変わることは言うまでもない。
図示の例では、このように作製した該貼着用合成樹脂フィルム７を、該サーフボード１、即ち、サーフボード本体１の該後部面域２ａに接着剤又は粘着剤から成る貼着剤８を、該後部面域２ａの該貼着用合成樹脂フィルム７を貼着せしめる所定の面域に均一に塗工し、その塗工面８に該貼着用合成樹脂フィルム７を、その貫通孔６を該プラグ５の該フィン嵌着用孔５ａに整合した状態で押圧貼着する。その後、該プラグ５の該嵌着用孔５ａ内に、第２図に明示のように、フィン９のタブ９ａを固く圧入嵌着する。第１図から明らかなように、該サーフボード本体１の接水底面２の後部面域２ａに貼着された合成樹脂フィルム７は、そのサーフボード本体１の中心軸線を中心にして左右に対称的に、即ち、同じ形状、寸法の左右に等しい滑性表面をもつように貼着されて本発明のサーフボードＡ１が構成される。
該貼着用合成樹脂フィルム７を貼着する前の従来のサーフボード１は、一般に好ましく製造され、使用されているものである。即ち、一般に、木製のストリンガー１ｃを中心軸線上に埋め込まれた超高密度フォームコア、一般に好ましくは、超高密度ウレタンフォームコアから成る所定形状のサーフボードの成形体１ａとその表面に一体に結着したガラス繊維クロスの強化プラスチックの外皮１ｂとから成り、その外皮の水流抵抗を軽減するために、その外皮表面を研磨処理して製造して成るものである。
また、フィン９も、従来のサーフボード１と同様に構成されたもの、ガラス繊維クロスの代わりに、カーボン繊維クロスの強化プラスチックを外皮としたものなどがある。いずれにしても、従来のサーフボード１もフィン８も超高密度フォームコアと強化繊維プラスチックの外皮とから成るものが一般である。
従来のサーフボード１やフィン８の強化プラスチックから成る外皮の表面を研磨処理したものの表面は、一見平滑面であるように見えるが、発明者は、その表面を光学式レーザー測定装置を用い、測定したところ、第１８図に示すように、その高低差は距離１ｍｍ当たり約０．１〜０．６μの範囲において三角状波形粗面であることが判った。
そこで、これを改善するため、上記の表面滑性を有する貼着用合成樹脂フィルム７をその後部面域２ａの粗面に貼着することにより、下記に詳述するスピード試験で明らかにするように、従来のサーフボード１の滑走スピードを向上することができることを確認された。従ってまた、そのサーフボード１の方向転換などの運動性能も向上する効果をもたらした。
第１図に用いた合成樹脂フイルム７としては、例えば、強靭且つ柔軟な厚さ５０〜１２５μ程度のポリエチレンテレフタレート樹脂（ＰＥＴ）フィルムを用いたが、その表面滑性度を測定したところ、第１７図に示すように、距離１ｍｍ当たり、高低差が０．２μ未満であり、且つ全長に亘り緩やかなカーブをもち、そのフィルム７の表面全面に亘り光沢を有し、鏡面のような表面滑性を有することが判明した。
該ＰＥＴフィルムは、機械的強度、耐衝撃性、耐候性、耐水性、耐塩水性、耐熱性のいずれにも優れ、且つ加熱収縮性が殆どなく、サーフボード用として安定堅牢で、使用寿命も長く優れている。勿論、ＰＥＴフィルムに限らず、その他のポリエステル系樹脂、ポリアミド樹脂、ポリエチレン樹脂、ポリプロピレン樹脂、ポリアクレート樹脂、ポリカーボネート樹脂、ＡＢＳ樹脂、フッ素樹脂及びポリ塩化ビニル樹脂のグループから選択して使用することができ、これらの樹脂は、機械的強度、耐水性、耐候性、耐久性、耐衝撃性などに優れている。
これら合成樹脂フィルムを貼着する接着剤や粘着剤から成る貼着剤８としては、アクリル系接着剤、アクリル系粘着剤が代表的に好ましく使用される。
上記の実施例では、本発明のサーフボードＡ１を製造するには、その後部面域２ａの所要の面域に接着剤又は粘着剤から成る貼着剤８を均一な厚さに塗布する工程と、次いで貼着用合成樹脂フィルム７を貼着する工程から成るので、その製造作業が煩わしく、時間がかゝり非能率である。
そこで、例えば、広幅帯状の大寸法の上記特性を有する合成樹脂フィルム素材とその裏面に粘着剤を厚さ２０〜４０μの範囲の厚さに均一に塗工して成る粘着剤とその粘着面に剥離紙を仮貼着して成る素材シートから第１図に示す型抜きされた貼着用合成樹脂フィルム７と同じ形状寸法に型抜きされた第３図に示す底面貼着用粘着フィルム７Ａを多数作製しておく。図面で７は合成樹脂フィルム、８は粘着剤塗工面、１０は剥離紙、６′は貫通孔を示す。而して、本発明のサーフボードＡ１を製造するに当たり、従来のサーフボード１、即ち、サーフボード本体１の接水底面２の後部面域２ａに、その型抜き粘着フィルム７Ａの該剥離紙１０を剥がし、その貫通孔６′をフィン９取り付け用プラグ５の嵌着用孔５ａに整合させた状態で、その粘着面８を介して押圧貼着することにより、貼着剤の塗工工程を省略できるので、高能率に本発明のサーフボードＡ１を高能率且つ安価に製造することができる。この場合には、かゝる底面貼着用粘着フィルム７Ａを商品とし、サーフボード１の該テール部面域２ａに貼着してスピード７方向転換などの運動性能の向上をもたらすようにすることができる。
第４図及び第５図は、本発明の他の実施例を示す。同図に示す従来のサーフボードは、一般に好ましく使用されるフィン９′を３個配設して有する別の形状のサーフボード１′であり、該サーフボード１′に本発明を適用したもので、更に詳細には、該サーフボード１′は、その接水底面２′の後部面域２ａ′内にそのサーフボード１′の中心軸線上に、テール３′の近傍に位置して着脱自在に取り付けた１つのフィン９とその前方の左右に等距離を存して同様の２つのフィン９，９を配設して成るもので、かゝる形式のサーフボード１′に本発明を適用するに当たり、その３個のフィン９，９，９のうち、その中心軸上に位置する１つのフィン９の周囲のみを囲繞し、且つそのテール３′とその左右の両側縁４′，４′に沿った外周縁形状に打ち抜かれ、且つその左右の両側縁４′，４′を跨ぐ内周縁を中心から左右に対象的にＶ字状の山形に打ち抜かれ、更に、その中心線上に、前記の各フィン９の前後２つに一対設けたタブ９ａ，９ａを挿通する貫通孔６′，６′を穿設して成る型抜きされた底面貼着用粘着フィルム７ＡＢを用意し、その剥離紙１０を剥離し、これを第６図に示すように、その貫通孔６′，６′をサーフボード１′のフィン取り付け用の各プラグ５′の前後一対の孔５ａ′，５ａ′に整合させた状態で、該後部面域２ａに押圧貼着して本発明のサーフボードＡ２を構成したものである。
第６図は、該フィン９を着脱自在に取り付けられた状態を示す。該フィン９の前後一対のタブ９ａ，９ａをサーフボードＡ２の該後部面域２ａに埋設されたソケット５′の矩形状の嵌合孔５ａ′，５ａ′に嵌合し、該ソケット５′に斜めに設けた前後一対の各螺孔１１に捻じ込んだ螺鋲１２により各該フィン９をそのタブ９ａの側面を締め付けてフィン９を圧着固定し取り付けたものである。
従来のサーフボードを本発明のサーフボードに改善するには、一旦、フィン９を取り外した状態で、貼着用合成樹脂フィルム７や該粘着フィルム７Ａを上記の要領で当該後部面域に貼着することにより達成することができることは言うまでもない。
第７図は、本発明の更に他の実施例を示す。この実施例に用いられた底面貼着用粘着フィルム７Ｃは、第８図に示すように蝶形に、前記と同様に左右対象的に型抜きしたもので、その大きさは、第７図に示すように、３個のフィン９，９，９の配設部を囲繞する後部面域２ａ′に貼着されるに足る大面積を有し、且つ３個のフィン９，９，９の夫々の前後一対のタブ９ａ，９ａを嵌着するプラグ５に配設した前後一対の嵌着用孔５ａ，５ａを３対穿設して型抜きしたものである。
第９図は、本発明の更に他の実施例のサーフボードＡ４の底面の斜視図を示す。この実施例は、従来のサーフボード１′の接水底面２′の後部面域２ａ′とフィン９との両者にその夫々の周縁形状に沿い打ち抜きした上記の表面滑性に優れ且つ強靭な底面貼着用粘着フィルム７とフィン貼着用粘着フィルムを夫々貼着したものである。具体的には、第５図に示す底面貼着用粘着フィルム７Ｂを用い第４図に示すように該サーフボード１′の接水底面２′の後部面域２ａ′に、その剥離紙１０を剥がし、その粘着面８で貼着する一方、３つのフィン９，９，９の各フィン９の両側面９ｂ，９ｂに、前記と同様に、表面の高低差が０．１μ程度で滑らかで且つ光沢のある表面滑性を有し且つ強靭な広幅帯状のアクリル系合成樹脂シート素材より第１１図に示すように、上記フィン９の側面９ｂの周縁形状に沿って打ち抜いたフィン貼着用粘着フィルム７Ｄを多数作製して用意し、これを、その剥離紙１０を剥がし、その裏面の粘着面８を介し、各フィン９の両側面９ｂ，９ｂに、第１０図及び第１１図に示すように貼着して本発明のサーフボードＡ４を構成したものである。
第１０図は、第９図のフィン９を取り外し、第９図とは反対側のフィン９の側面を示した図である。
第１２図は、更に本発明の他の実施例のサーフボードＡ５の底面の斜視図を示す。この実施例では、従来のサーフボード１′の接水底面２′の後部面域２ａ′には、本発明の貼着用合成樹脂フィルム７又は７′を貼着しない代わりに、その３個の各フィン９の両側面９ｂ，９ｂに、第１１図に示すフィン貼着用粘着フィルム７Ｄの剥離紙１０を剥がしその粘着面８を介しその粘着フィルム７Ｄを貼着してサーフボードＡ５を構成したものである。
第１３図は、底面貼着用粘着フィルムの変形例７Ｂ′を示し、第１４図は、フィン貼着用粘着フィルムの変形例７Ｄ′を夫々示す。これらの変形例７Ｂ′及び７Ｄ′の夫々は、その粘着面８に両端が外気に連通する排気用溝１３を多数条設けたものである。図示の例では、排気用溝１３を縦横に交叉して多数条規則的に設けたものであるが、これに限定されない。横方向のみ或いは縦方向のみに間隔を存しその多数の排気用溝を配設してもよい。また、図示しないが、粘着剤８を合成樹脂フィルム７の裏面に点状に規則的に或いは不規則域に塗工し、その間を排気用溝とするなど任意である。
かゝる粘着フィルム７Ｂ′及び７Ｄ′を、その剥離紙１０，１０を剥がし、上記の所定個所に夫々押圧貼着するときは、その被貼着面との間の空気は、これらの排気用溝１３，１３，…を介し外部に排出されるので、気泡として残留することなく全面に亘り被貼着面に良好に貼着することができる。
従来のサーフボード１′本体の接水底面２の後部面域２ａやフィン９の側面９ｂに接着剤又は粘着剤を塗工後、貼着される裏面に貼着剤の塗工面を有しない型抜きの合成樹脂フィルム７や所定の形状に型抜きされた底面貼着用粘着フィルム又はフィン貼着用粘着フィルムは一枚から成るものに限定されない。例えば、第１５図に示すように、底面貼着用粘着フィルム７Ａは、サーフボード１′のテール３′から両側縁４′，４′に沿って切り抜かれると共に、２分割された左右対象形状の半割に打ち抜かれると共に、フィンのタブを挿入する前後一対のソケット５′，５′の各嵌着用孔５ａに整合される貫通孔６′を中心線で切断し、左右に対向する半円孔６ａ′，６ａ′に打ち抜かれて形成されて成る型抜きされた分割片７ａ′，７ａ′に作製し、その夫々を第１５図に示すように、サーフボード１′の該後部面域２ａ′の中心部に少許の間隔ｓを存して左右対象に貼着するようにして本発明のサーフボードＡ６を構成してもよく、また、第１６図に示すように、３片に分割し型抜きされた底面貼着用粘着フィルム７Ａの３つの分割片７ａ，７ａ，７ａに構成し、互いに間隔ｓを存し且つサーフボードの中心軸線を中心に左右対象に貼着して本発明のサーフボードＡ７を構成してもよい。
尚、一般に、型抜きされたフィン貼着用合成樹脂フィルムとしては、前記の裏面に予め粘着面を有する粘着フィルムに代え、（図示しないが）裏面に粘着面８を施されていない同様に型抜きされたフィン貼着用合成樹脂フィルム又はその複数個に分割された分割片を用意し、これを、図示しないが、サーフボード本体のフィンの両側面に接着剤又は粘着剤から成る貼着剤を全面的に或いは部分的に塗工した塗工面を介し、フィンの両側面に貼着するようにしてもよい。
また、このように、底面貼着用又はフィン貼着面に型抜きされた裏面に貼着剤の塗工面を施されていない貼着用合成樹脂フィルム或いは塗工面を施された粘着フィルムとしては、透明、半透明、又は不透明のもの、無色又は有色のもの、或いはこれらのものの表面に、所望の文字や図案、絵画、模様などの各種の表示を印刷したものなどを作製した各種の表面滑性の合成樹脂フィルムを用意し、これらから選択し、サーフボード本体の該後部面域又はそのフィンに貼着して本発明の各種のサーフボードを作製することができる。例えば、サーファーなどの需要者は、これらの各種の貼着用合成樹脂フィルムや粘着フィルムから、趣好や目的に応じ、その底面貼着用又はフィン貼着用に選択使用することができる。
次に、本発明の上記の各種のタイプのサーフボードと従来のサーフボードの滑走時のスピード性能を比較するべく、第１９図に示す実験装置を用い、次のように滑走テストを行った。比較試験に供した夫々のサーフボードとしては、実物の３分の１のスケールで、材料は全て実物の夫々のサーフボードと同様に作製した模型を用いた。
即ち、第４図に示す本発明のサーフボードＡ２の模型をサンプルＡとして、第９図に示すサーフボードＡ４の模型をサンプルＢとし、第１２図に示す本発明のサーフボードＡ５の模型をサンプルＣとして用意する一方、比較のため、従来のサーフボード１′、即ち、ストリンガーを埋設した超高密度ウレタンフォームコアとその表面に表面を研磨処理したガラス繊維強化アクリル系プラスチックの外皮を一体に積層結着して成ると共に同様の材料で構成した３個のフィンを埋設したサーフボード１′の模型をサンプルＤとして用意した。
一方、実験装置として、第１９図に示すような実験装置１４を用意した。即ち、該装置１４は、長方形の水槽１５内に図面で左側に高さ６フィートの加速スロープ１６を設け、該加速スロープ１６の下端の右側に水深６００ｍｍまで水を湛えた全長１０フィートの滑走コース１７を設けて成る。
而して、上記のサンプルＡ，Ｂ，Ｃ，Ｄの各サンプルにつき、滑走性能を調べるため、上記の加速スロープ１６の上部の同じ高さから手離し、加速させて着水させ、図示のように滑走コース１７の水面を滑走させ、着水位置（０フィート）から、２フィート、４フィート、５フィート、６フィート、８フィート、水槽の端壁に衝突する滑走完了地点１０フィートの各地点において計測装置によりラップタイム（秒）を測定した。かゝる滑走試験を各サンプルにつき１０回繰り返した。同図に示す夫々のサーフボードＡ，Ｂ，Ｃ，Ｄの各地点におけるラップタイムの値（秒）は１０回の試験において計測した値の平均値を示す。
同図に示すように、従来のサーフボードＤは、着水位置から７．６フィートのところで滑走が停止し、１０フィートを完走できなかった。その地点までの滑走時間は４．８秒かゝった。
これに対し、本発明のサーフボードＡは、例えば、５フィートの地点でのラップタイムは１秒であり、従来のサーフボードＤの２倍の速さであり、且つ１０フィートを完走した。その完走時間は５．１秒であった。
本発明のサーフボードＢは、５フィートの地点でのラップタイムは０．８秒であり、本発明のサーフボードＡより更に滑走時間を短縮し、且つ１０フィートを完走した。その完走時間は４．４秒とサーフボードＡより更にスピード性能を向上した。
本発明のサーフボードＣは、５フィートの地点でのラップタイムは１．８秒であり、従来のサーフボードＤよりスピードを向上し、且つ１０フィートを完走した。その完走時間は７．９秒であった。
以上から明らかなように、本発明のサーフボードＡ，Ｂ，Ｃはいずれも従来のサーフボードＤに比し、スピードが向上することを確認した。また、本発明のサーフボードＡ，Ｂ，Ｃのスピードの向上性は、サーフボードＢ、サーフボードＡ、サーフボードＣの順であった。即ち、合成樹脂フィルムをサーフボードの底面とフィンの両方に貼着した場合がスピードの向上効果は最大となり、次いで底面にのみ貼着した場合、フィンのみに貼着した場合の順となることが判った。
【産業上の利用可能性】  このように、本発明は、従来の各種のサーフボードに適用し、滑走時のスピードの向上、従ってまた、方向転換の敏捷性の向上など運動性能を向上できる。
また、サーファーなどの需要者は、本発明のサーフボード用貼着用合成樹脂フィルムや粘着フィルムとして透明なもの、美麗に着色したもの、或いはその表面に各種の文字やデザインを施したものなど各種のものから所望に応じ選択し、従来のサーフボードに貼着してその向上したスピードと共にそのデザインなどの意匠効果を楽しむことができ、また、商品の宣伝、広告などに利用できる。
【図１】
2004069644.tif 000003
【図２】
2004069644.tif 000004
【図３】
2004069644.tif 000005
【図４】
2004069644.tif 000006
【図５】
2004069644.tif 000007
【図６】
2004069644.tif 000008
【図７】
2004069644.tif 000009
【図８】
2004069644.tif 000010
【図９】
2004069644.tif 000011
【図１０】
2004069644.tif 000012
【図１１】
2004069644.tif 000013
【図１２】
2004069644.tif 000014
【図１３】
2004069644.tif 000015
【図１４】
2004069644.tif 000016
【図１５】
2004069644.tif 000017
【図１６】
2004069644.tif 000018
【図１７】
2004069644.tif 000019
【図１８】
2004069644.tif 000020
【図１９】
2004069644.tif 000021
【国際調査報告】
2004069644.tif 000022
2004069644.tif 000023
2004069644.tif 000024